(57)【要約】【課題】売店、販売窓口等の小型店舗、店舗等のウィンドウ、建物の外周部に対して、大掛かりな設備工事を要することなく極めて簡単に広告等の装飾を施すことができ、広告等の装飾を容易かつ低コストに交換可能とするロールシート式のディスプレイ装置を提供すること。【解決手段】回転ロール１３に巻き取りされてなる広告・装飾等各種表示体を表してなるディスプレイシート１４を回転ロール１３より繰り出し張設することによりディスプレイ体を形成するディスプレイ装置１において、ディスプレイシート１４の一方部分は回転ロール１３に取り付け・取り外し自在に係止されてなる。【選択図】  図３
2009053649.tif 000002
【特許請求の範囲】
【請求項１】
回転ロールに巻き取りされてなる広告・装飾等各種表示体を表してなるディスプレイシートを前記回転ロールより繰り出し張設することによりディスプレイ体を形成するディスプレイ装置において、前記ディスプレイシートの一方部分は前記回転ロールに取り付け・取り外し自在に係止されてなることを特徴とするディスプレイ装置。
【請求項２】
回転ロールに巻き取りされてなる広告・装飾等各種表示体を表してなるディスプレイシートを前記回転ロールより繰り出し張設することによりディスプレイ体を形成するディスプレイ装置において、前記回転ロールには所望する長さに応じて巻き取りおよび繰り出し自在のアジャストシートを取り付け、前記ディスプレイシートの一方部分は、前記回転ロールに取り付けられたアジャストシートに取り付け・取り外し自在に係止されてなることを特徴とするディスプレイ装置。
【請求項３】
繰り出されてなるディスプレイシートの他方部分はディスプレイシート他方部分支持部材に取り付け・取り外し自在に係止されてなることを特徴とする請求項１または請求項２のいずれかに記載のディスプレイ装置。
【請求項４】
繰り出されてなるディスプレイシートの他方部分はディスプレイシート他方部分支持部材に取り付けられたアジャストシートに取り付け・取り外し自在に係止されてなることを特徴とする請求項１乃至請求項３のいずれかに記載のディスプレイ装置。
【請求項５】
ディスプレイシートの一方部分と回転ロール、ディスプレイシートの他方部分とディスプレイシート他方部分支持部材、ディスプレイシートとアジャストシートを取り付け・取り外し自在にする手段は、接着剥離自在に止着する手段であることを特徴とする請求項１乃至４のいずれかに記載のディスプレイ装置。
【請求項６】
ディスプレイシートの一方部分と回転ロール、ディスプレイシートの他方部分とディスプレイシート他方部分支持部材、ディスプレイシートとアジャストシートを接着剥離自在に止着する手段はそれぞれに取付け形成された面ファスナーであることを特徴とする請求項１乃至請求項５のいずれかに記載のディスプレイ装置。
【請求項７】
ディスプレイシートの一方部分と回転ロール、ディスプレイシートの他方部分とディスプレイシート他方部分支持部材、ディスプレイシートとアジャストシートを、取り付け・取り外し自在に係止する手段は凹溝と凸条の一対をそれぞれに備えて係合させる係合レール部材であることを特徴とする請求項１乃至請求項６のいずれかに記載のディスプレイ装置。
【請求項８】
ディスプレイシートは、細孔を多数有するメッシュ布または軽量不織布であることを特徴とする請求項１乃至請求項７のいずれかに記載のディスプレイ装置。
【発明の詳細な説明】
【技術分野】
【０００１】
本願発明は、閉店後の売店や販売窓口、店舗等のウィンドウ、建物の外周部等に設置されるロールスクリーン式のディスプレイ装置に関し、広告等各種表示体を表してなるディスプレイシートを容易に取付け・取外しが可能で、ディスプレイ体の交換を容易かつ安全に行うことができるものである。
【背景技術】
【０００２】
従来、店舗等の外周部に広告等の装飾を施す為には、シャッターや建物外周部にペンキ等で直接塗装を施す、広告等を印刷したマーキングフィルムを粘着剤でシャッター等に貼着する他、特許文献１および特許文献２に記載のように、シャッターとディスプレイシートが連動するシャッター用ディスプレイ装置により広告等を施していた。特許文献１及び特許文献２に開示されたシャッター用ディスプレイ装置は、従来のシャッター表面に表示体を形成したディスプレイシートを位置させ、このディスプレイシートをシャッターと連動させて巻き取ることのできるシャッター用ディスプレイ装置である。
一方、大型の建物の外壁に設置するロールスクリーン式ディスプレイ構造として、特許文献３に記載の建物外周部構造が開示されている。特許文献３に開示された建物外周部構造は、当該建物外周部構造は、カーテンウォールと、その側面に設けられたロールスクリーンと、さらにその裏側に設けられたブラインドを備えてなる非常に大掛かりな構造である。
【特許文献１】特開平１−１７８６９４号公開特許公報
【特許文献２】特開２００６−６３６０３号公開特許公報
【特許文献３】特開２００３−２５３９７８号公開特許公報
【特許文献４】特開平７−３３１９７２号公開特許公報
【発明の開示】
【発明が解決しようとする課題】
【０００３】
特許文献１および特許文献２記載のシャッター用ディスプレイ装置によれば、シャッターや建物外周部に直接塗装を施した場合や広告等を印刷したマーキングフィルムを粘着剤でシャッター等に貼着する場合に比べて、広告等を容易かつ安価に設置することが可能で、各種宣伝広告や装飾内容の交換も比較的容易であった。しかしながら、ディスプレイシートをシャッターと連動させるために構造に厚みが出るため、たとえば、駅の売店や窓口等の小規模店舗には設置するには適さない、また、シャッターのない場所の設置には適さない等の改善点があった。さらには、各種宣伝広告サイクルが短くなった昨今においては、ディスプレイ内容を頻繁に取り替える必要があるとともに、ランニングコストを低くする要請があるため、表示体の交換をさらに容易かつ安価にする必要がある。
【０００４】
また、特許文献３記載の建物外周部構造は、大型ディスプレイを表示させるために建物構造自体に工事を施す非常に大掛かりなものであり、設置コストおよびランニングコストが高く、また、各種宣伝広告や装飾内容の交換は困難かつ危険であった。
【０００５】
尚、例えば特許文献４に開示されるような目隠し用のロールスクリーンは種々あるが、これ等は目隠しとしての機能上スクリーンを永続的に固定する必要があるため、スクリーンを短期間で交換する思想はなく、スクリーンは回転ロールと一体に形成されているか、または回転ロールに剥離不能に固定されるため、接着剥離不能な状態で固定されており、スクリーンを容易に交換するための構造は有していない。
【０００６】
そこで本発明は、売店、販売窓口等の小型店舗、店舗等のウィンドウ、建物の外周部に対して、大掛かりな設備工事を要することなく極めて簡単にディスプレイを施すことができ、広告・装飾等各種表示体を表してなるディスプレイシートのみを容易かつ低コストに交換可能とするディスプレイ装置を提供することを目的とする。
【０００７】
また、自動車販売店のウィンドウなど、面積が広く天井の高い設置場所においても、足場、脚立を要さずに交換者の手元でディスプレイシートの交換を可能とするディスプレイ装置を提供することを目的とする。
【０００８】
また、広告・装飾等各種表示体を鮮明かつフラットな状態で表示させ、特に、ディスプレイ体を屋外に設置する場合にディスプレイシートの風によるばたつきを防止することのできるディスプレイ装置を提供することを目的とする。
【課題を解決するための手段】
【０００９】
上記目的を達成するため本発明のディスプレイ装置は、回転ロールに巻き取りされてなる広告・装飾等各種表示体を表してなるディスプレイシートを前記回転ロールより繰り出し張設することによりディスプレイ体を形成するディスプレイ装置において、前記ディスプレイシートの一方部分は前記回転ロールに取り付け・取り外し自在に係止されてなることを特徴とする。
【００１０】
また、回転ロールに巻き取りされてなる広告・装飾等各種表示体を表してなるディスプレイシートを前記回転ロールより繰り出し張設することによりディスプレイ体を形成するディスプレイ装置において、前記回転ロールには所望する長さに応じて巻き取りおよび繰り出し自在のアジャストシートを取り付け、前記ディスプレイシートの一方部分は、前記回転ロールに取り付けられたアジャストシートに取り付け・取り外し自在に係止されてなることを特徴とする。
【００１１】
繰り出されてなるディスプレイシートの他方部分はディスプレイシート他方部分支持部材に取り付け・取り外し自在に係止されてなることを特徴とする。
【００１２】
繰り出されてなるディスプレイシートの他方部分はディスプレイシート他方部分支持部材に取り付けられたアジャストシートに取り付け・取り外し自在に係止されてなることを特徴とする。
【００１３】
ディスプレイシートの一方部分と回転ロール、ディスプレイシートの他方部分とディスプレイシート他方部分支持部材、ディスプレイシートとアジャストシートを取り付け・取り外し自在にする手段は、接着剥離自在に止着する手段であることを特徴とする。
【００１４】
ディスプレイシートの一方部分と回転ロール、ディスプレイシートの他方部分とディスプレイシート他方部分支持部材、ディスプレイシートとアジャストシートを接着剥離自在に止着する手段はそれぞれに取付け形成された面ファスナーであることを特徴とする。
【００１５】
ディスプレイシートの一方部分と回転ロール、ディスプレイシートの他方部分とディスプレイシート他方部分支持部材、ディスプレイシートとアジャストシートを、取り付け・取り外し自在に係止する手段は凹溝と凸条の一対をそれぞれに備えて係合させる係合レール部材であることを特徴とする。
【００１６】
ディスプレイシートは、細孔を多数有するメッシュ布または軽量不織布であることを特徴とする。
【発明の効果】
【００１７】
本発明のディスプレイ装置によれば、回転ロールに巻き取りされてなる広告・装飾等各種表示体を表してなるディスプレイシートを前記回転ロールより繰り出し張設することによりディスプレイ体を形成するディスプレイ装置において、前記ディスプレイシートの一方部分は前記回転ロールに取り付け・取り外し自在に係止されてなることにより、回転ロールを設置場所から取り外すことなく、ディスプレイシートを簡単に取付け・取外しができる。したがってディスプレイを容易に交換することができるとともに、ディスプレイシートを回転ロールごと交換する必要もなくランニングコストを安くすることができる。
【００１８】
また、回転ロールに巻き取りされてなる広告・装飾等各種表示体を表してなるディスプレイシートを前記回転ロールより繰り出し張設することによりディスプレイ体を形成するディスプレイ装置において、前記回転ロールには所望する長さに応じて巻き取りおよび繰り出し自在のアジャストシートを取り付け、前記ディスプレイシートの一方部分は、前記回転ロールに取り付けられたアジャストシートに取り付け・取り外し自在に係止されてなることにより、アジャストシートの巻き込み量を調整し、ディスプレイシートの大きさに応じて該ディスプレイシートを所望の位置・高さに掲示できるとともに、例えば自動車販売店のウィンドウに表示するディスプレイのように大型のディスプレイシートを交換する場合にも、回転ロールからアジャストシートを交換者の手元まで繰り出した状態でディスプレイシートの取り付け・取り外しを行うことが可能なため、足場や脚立を要することなくディスプレイシートを容易かつ安全に交換することができる。
【００１９】
繰り出されてなるディスプレイシートの他方部分はディスプレイシート他方部分支持部材に取り付け・取り外し自在に係止されてなることにより、ディスプレイシートの張設を支持するディスプレイシート他方部分支持部材にもディスプレイシートを簡単に取り付け・取り外しすることができる。したがってディスプレイ体を容易に交換することができるとともに、ディスプレイシートをディスプレイシート他方部分支持部材ごと交換する必要がなくランニングコストを安くすることができる。また、ディスプレイシートのみを取り外すために取り外し後のディスプレイシートを、紙管に巻きつけた状態、又は折り畳んだ状態で保管することができる。
【００２０】
繰り出されてなるディスプレイシートの他方部分はディスプレイシート他方部分支持部材に取り付けられたアジャストシートに取り付け・取り外し自在に係止されてなることにより、平面を有さない例えば円筒状の他方部分支持部材にも取り付け・取り外し自在に止着可能となる。また、ディスプレイシートをアジャストシートを介してさらに容易にディスプレイシート他方部分支持部材に固定することができる。したがってディスプレイ体を容易に交換することができる。また、ディスプレイシートをディスプレイシート他方部分支持部材ごと交換する必要がなくランニングコストを安くすることができるとともにディスプレイシートのみを取り外すために取り外し後のディスプレイシートを、紙管に巻きつけた状態、又は折り畳んだ状態で保管することができる。
【００２１】
ディスプレイシートの一方部分と回転ロール、ディスプレイシートの他方部分とディスプレイシート他方部分支持部材、ディスプレイシートとアジャストシートを取り付け・取り外し自在にする手段は、接着剥離自在に止着する手段であることにより回転ロールを設置場所から取り外すことなく、ディスプレイシートを簡単に取り付け・取り外すことができる。したがってディスプレイを容易に交換することができるとともに、ディスプレイシートを回転ロールごと交換する必要もなくランニングコストを安くすることができる。
を特徴とする。
【００２２】
ディスプレイシートの一方部分と回転ロール、ディスプレイシートの他方部分とディスプレイシート他方部分支持部材、ディスプレイシートとアジャストシートを接着剥離自在に止着する手段はそれぞれに取付け形成された面ファスナーであることにより面ファスナーを当接して接着させるだけでディスプレイシートを取り付けることができるとともに、面ファスナーを剥離するだけでディスプレイシートの取り外しができディスプレイシートの交換が容易である。また、面に水平な方向の力に強い面ファスナーの接着力によりディスプレイシートが剥がれ落ちることもない。
【００２３】
ディスプレイシートの一方部分と回転ロール、ディスプレイシートの他方部分とディスプレイシート他方部分支持部材、ディスプレイシートとアジャストシートを、取り付け・取り外し自在に係止する手段は凹溝と凸条の一対をそれぞれに備えて係合させる係合レール部材であることにより、アジャストシートとディスプレイシートは係合レール部材により補強されて撓んだり捩れたりすることなくフラットな美感を呈することができるとともに、係合レール部材の凹溝と凸条とを係合・離脱させるだけでディスプレイシートを容易に取り付け・取り外しすることができ、ディスプレイシートの交換が容易である。
【００２４】
ディスプレイシートを細孔を多数有するメッシュ部材とした場合には、屋外に設置した場合にも風によるばたつきを防ぐことができる。またディスプレイシートを軽量不織布とした場合には大型のディスプレイシートであっても回転ロールに付加をかけることなくに安全にディスプレイ体を表示することができる。
【発明を実施するための最良の形態】
【００２５】
図１乃至図３は本発明のディスプレイ装置の第一の実施の形態を示すものであり、主として閉店後の売店のシャッター前や販売窓口等の小規模の設置場所に表示するタイプのディスプレイ装置である。
【００２６】
ディスプレイ装置１は、回転ロール１３に巻き取りされてなる広告・装飾等各種表示体を表してなるディスプレイシート１４を回転ロール１３より繰り出し張設することによりディスプレイ体を形成するディスプレイ装置であり、ディスプレイシート１４の一方部分は回転ロール１３に接着剥離自在に止着されるとともに、他方部分はディスプレイシート他方部分支持部材１５に接着剥離自在に止着されてなるものである。
【００２７】
回転ロール１３は、設置場所壁面３または天井面に取り付けられたベースアダプター１１１、１１２に取り付けられたブラケット１２に回動自在に支持されており、内蔵された不図示の巻取スプリングの蓄勢力によってディスプレイシート１４を巻き取り且つ繰り出す昇降機能を有し、ディスプレイシート１４を巻き取り自在とするとともに張設保持可能になっている。ディスプレイ装置１においては、図３の矢印で示すようにディスプレイシート１４のディスプレイ表示面を回転ロール１３側に巻き込む方向に回動するように支持されている。尚、回転ロール１３の回動構造は上述したものに限定されず、チェーンや紐による駆動で回転ロールを回転させてディスプレイシート１４を巻き取る方式であってもよいし、電動駆動式のものであってもよい。そして、図３に示すように、回転ロール１３の軸方向にはディスプレイシート接着剥離手段としての面ファスナー１６１が固定されていて、この面ファスナー固定部を支点として、ディスプレイシート１４を巻き取り可能となっている。
【００２８】
ディスプレイシート他方部分支持部材１５は、平板棒状に形成され、ディスプレイシート１４を軸方向に接着させてディスプレイシート１４をフラットに張設支持して可能としてなり、ディスプレイシート１４繰り出し時には壁面に取り付けられた他方部分支持部材係止爪に係止固定する係止部材として機能するとともに、ディスプレイシート１４巻き取り時には巻き込みストッパーとして機能する。ディスプレイシート他方部分支持部材１５のディスプレイシート１４に当接する面の軸方向には、接着剥離手段としての面ファスナー１７１が固定され、ディスプレイシート１４を接着剥離自在としている。また、ディスプレイシート他方部分支持部材１５は、張設されるディスプレイシート１４の幅よりも長く形成され、ディスプレイシート他方部分支持部材の両端部１５１、１５２がディスプレイシート１４張設時には、それぞれ設置場所壁面３に固定されたディスプレイシート他方部分支持部材係止爪１８１、１８２に係止してディスプレイシート１４の張設状態を保持可能になっている。さらに、ディスプレイシート他方部分支持部材１５の軸方向略中央部には鉤状のディスプレイシート止具部材１５３を配設し、ディスプレイシート１４張設時に設置場所壁面３に固定されたディスプレイシート止具固定部材１９に固定して、張設状態をさらに補強してもよい。
【００２９】
一方、ディスプレイシート１４の回転ロール側に位置する一方部分の縁部には、接着剥離手段としての面ファスナー１６２が固定されている。この面ファスナー１６２を面ファスナー１６１と接着または剥離することにより、ディスプレイシート１４は回転ロール１３に接着剥離自在に止着可能となっている。そして、ディスプレイシート１４のディスプレイシート他方部分支持部材側に位置する他方部分の縁部には、接着剥離手段としての面ファスナー１７２が固定されている。この面ファスナー１７２を面ファスナー１７１と接着または剥離することにより、ディスプレイシート１４はディスプレイシート他方部分支持部材１５に接着剥離自在に止着可能となっている。
【００３０】
このディスプレイ装置１は、売店や販売窓口等のシャッター装置に沿って、または窓口に直接設置し、開店時にはディスプレイシート１４を巻き取り状態とし、閉店後にはディスプレイシート１４を回転ロール１３より繰り出して張設することで、簡単にディスプレイ体を表示することができる。
【００３１】
ディスプレイシート１４を交換するときには、回転ロール１３を回動させて既掲示のディスプレイシート１４を繰り出した状態で、ディスプレイシート１４の面ファスナー固定部を手前に引いて面ファスナー同士を剥がすことにより、ディスプレイシート１４を回転ロール１３およびディスプレイシート他方部分支持部材１５から容易に外すことができる。また、新たなディスプレイシート１４を掲示するには、ディスプレイシート１４の面ファスナー１６２と回転ロール１３の面ファスナー１６１を当接させて接着させるとともに面ファスナー１７２とディスプレイシート他方部分支持部材１５の面ファスナー１７１を当接して接着させディスプレイシート１４を張設すればよい。
【００３２】
図４乃至図６は本発明のディスプレイ装置の第二の実施の形態を示すものであり、主として自動車販売店の大型ウィンドウや建物外壁等の大規模の設置場所に設置するタイプのディスプレイ装置である。
【００３３】
ディスプレイ装置２は、回転ロール２３に巻き取りされてなる広告・装飾等各種表示体を表してなるディスプレイシート２４を回転ロール２３より繰り出し張設することによりディスプレイ体を形成するディスプレイ装置であり、回転ロール２３には所望する長さに応じて巻き取りおよび繰り出し自在のアジャストシート２６を取り付け、ディスプレイシート２４の一方部分は、回転ロール２４に取り付けられたアジャストシート２６に接着剥離自在に止着されるとともに、他方部分はディスプレイシート他方部分支持部材２５に取り付けられたアジャストシート２７に接着剥離自在に止着されてなる。
【００３４】
回転ロール２３は、ベースアダプター２１１、２１２に取り付けられたブラケット２２に回動自在に支持されている。そして回転ロール２３は、チェーン２３１が嵌合する不図示の歯車によりチェーンの回転に伴ってアジャストシート２６を巻き取り且つ繰り出す昇降機能を有し、ディスプレイシート２４を張設保持可能とするとともに巻き取り自在になっている。尚、回転ロール２３の回動構造は上述したものに限定されず、電動駆動式のものであってもよいし、巻取スプリングの蓄勢力によってディスプレイシート２４を巻き取る方式であってもよい。
【００３５】
また、図４および図６に示すように、回転ロール２３の軸方向にはディスプレイシート２３の高さを調整すべく所望する長さに応じて巻き取りおよび繰り出し自在でディスプレイシート２４を保持可能なシート部材からなるアジャストシート２６が固定されている。尚、アジャストシート２６は、張設したときにディスプレイシート２３交換者の手元に届く程度の長さすなわち床面から０〜１．５ｍ程度に達する長さ以上に形成することが望ましい。そして、アジャストシート２６の回転ロール２３に固定された部分に対向する縁部には、ディスプレイシート２４を接着剥離可能とするディスプレイシート接着剥離手段としての面ファスナー２８１が固定されている。
【００３６】
ディスプレイシート他方部分支持部材２５は、円筒状で軸方向に長い棒形状からなり、軸方向にディスプレイシート２４の他方部分を接着して、他方部分支持部材の重みによりディスプレイシート２４をフラットに張設支持可能としてなる。ディスプレイシート他方部分支持部材２５の軸方向には、シート部材からなるアジャストシート２７が固定されており、ディスプレイシート他方部分支持部材２５に固定された縁部と対向する縁部には、接着剥離手段としての面ファスナー２９１が固定されている
【００３７】
一方、ディスプレイシート２４の回転ロール側に位置する一方部分の縁部には、接着剥離手段としての面ファスナー２８２が固定されている。この面ファスナー２８２を面ファスナー２８１と接着または剥離することにより、ディスプレイシート２４はアジャストシート２６に接着剥離自在に止着可能であるとともにアジャストシート２４を介して回転ロール２３に保持される。ディスプレイシート２４のディスプレイシート他方部分支持部材側に位置する他方部分の縁部には、接着剥離手段としての面ファスナー２９２が固定されている。この面ファスナー２９２を面ファスナー２９１と接着または剥離することにより、ディスプレイシート２４はアジャストシート２７に接着剥離自在に止着可能であるとともにアジャストシート２７に支持される。
【００３８】
このディスプレイ装置２は、自動車販売店の大型ウィンドウ内側や建物外周に設置し、通常はアジャストシート２６の繰り出し長さを調節して所望の高さにディスプレイシート２４を掲示する。
【００３９】
ディスプレイシート２４を交換するときには、回転ロール２３を回動させて、アジャストシート２６を床面近くまで繰り出した状態にする。その上で、既掲示のディスプレイシート２４の面ファスナー固定部分を手前に引っ張って面ファスナーを剥がすことにより、ディスプレイシート２４を回転ロールに固定されたアジャストシート２６およびディスプレイシート他方部分支持部材２５に固定されたベースシート２７から容易に外すことができる。また、新たなディスプレイシート２４を掲示するには、アジャストシート２６をディスプレイシート交換者の手元近くまで繰り出した状態で、面ファスナー２８２と面ファスナー２８１を当接して付着させるとともに面ファスナー２９２と面ファスナー２９１を当接して付着させた後、アジャストシート２６を回転ロール２３に巻き取りディスプレイシート２４を張設すればよい。
【００４０】
尚、本実施の形態に示すディスプレイ装置１および２において、ディスプレイシート接着剥離手段には接着剥離が容易でディスプレイシートの剥がれ落ちも確実に防ぐことのできる帯状の面ファスナーが好適であるが、接着剥離手段はこれに限定されるものではなく、接着剥離容易かつ剥がれ落ちのない部材であればよく、例えば凹部凸部を係合させてなるスナップ部材、シリコン部材からなるディスプレイシート接着剥離手段でもよい。
【００４１】
図７及び図８は本発明のディスプレイ装置の第三の実施の形態を示すものであり、ディスプレイシートとアジャストシートとの接合に、凹溝に凸条を挿入することで係合させる係合レール部材を用いること以外は上述した第二の実施の形態と同様の構成である。
【００４２】
ディスプレイ装置４は、回転ロール４３に巻き取りされてなる広告・装飾等各種表示体を表してなるディスプレイシート４４を回転ロール４３より繰り出し張設することによりディスプレイ体を形成するディスプレイ装置であり、回転ロール４３には所望する長さに応じて巻き取りおよび繰り出し自在のアジャストシート４６を取り付けている。そして、このアジャストシート４６の下端の縁部には、断面が半円状で下辺中央にスリット４７１を形成する凹溝４７２を備えた第１の係合レール部材４７を配設するとともに、ディスプレイシート４４における回転ロール４３に固定されたアジャストシート４６に対向する縁部には、前記凹溝４７２内に挿入可能な幅径の断面が半円状の凸条４８１を備えた第２の係合レール部材４８を配設している。
【００４３】
ディスプレイシート他方部分支持部材４５は、円筒状で軸方向に長い棒形状からなり、その軸方向にはシート部材からなるアジャストシート４９が固定されており、ディスプレイシート４４と対向する縁部には、断面が半円状の凸条４８１を備えた第２の係合レール部材４８を配設するとともに、ディスプレイシート４４におけるディスプレイシート他方部分支持部材４５に固定されたアジャストシート４９に対向する縁部には、断面が半円状で下辺中央にスリット４７１を形成する凹溝４７２を備えた第１の係合レール部材４７を配設している。
【００４４】
ディスプレイシート４４を交換するときには、回転ロール４３を回動させて、アジャストシート４６を床面近くまで繰り出した状態にする。その上で、既掲示のディスプレイシート４４の第２の係合レール部材４８を、スライド、すなわち軸方向に引っ張って第１の係合レール部材４７の凹溝４７２から引き抜くことにより、ディスプレイシート４４を回転ロールに固定されたアジャストシート４６から容易に外すことができ、さらに、ディスプレイシート他方部分支持部材４５に固定されたアジャストシート４９の係合レール部材４８を、軸方向に引っ張ってディスプレイシート４４下端の第１の係合レール部材４７の凹溝４７２から引き抜くことにより、ディスプレイシート４４をディスプレイシート他方部分支持部材４５に固定されたアジャストシート４９から容易に外すことができる。
【００４５】
また、新たなディスプレイシート４４を掲示するには、アジャストシート４６をディスプレイシート交換者の手元近くまで繰り出した状態で、新たなディスプレイシート４４上縁の第２の係合レール部材４８の凸条４８１を、回転ロール４３に固定されたアジャストシート４６下縁の第１の係合レール部材４７の凹溝４７２に挿入して係合させるとともに、ディスプレイシート４４下縁の第１の係合レール部材の凹溝４７２に、ディスプレイシート他方部分支持部材４５に固定されたアジャストシート４９の係合レール部材４８の凸条４８１を挿入することで係合させた後、アジャストシート４６を回転ロール４３に巻き取りディスプレイシート４４を張設すればよい。
【００４６】
尚、本実施の形態に示すディスプレイ装置１乃至３において、ディスプレイシートは回転ロールに巻き取り可能なシート部材であればよいが、屋外に設置する場合には風を透過させるメッシュシートが好適であり、屋内に設置する場合には軽量不織布が好適である。また、広告・装飾棟各種表示体はディスプレイシートの片面に施してもよいし両面に施してもよい。
【００４７】
また、本実施の形態に示すディスプレイ装置１乃至３において、ディスプレイシート張設を支持するためのディスプレイシート他方部分支持部材を設けているがディスプレイシートが自重によりまたは回動軸に配設されたストッパー構造により張設可能な場合には必ずしも設ける必要はない。
【００４８】
さらに、ディスプレイ装置１乃至３は、ディスプレイシートが回転ロールから垂下するように設置されているが、ディスプレイシートが水平方向に張設されるように設置してもよい。
【図面の簡単な説明】
【００４９】
【図１】本発明の第一の実施の形態を示す正面図である。
【図２】図１に示すディスプレイ装置の側面図である。
【図３】図１に示すディスプレイ装置の分解斜視図である。
【図４】本発明の第二の実施の形態を示す正面図である。
【図５】図４に示すディスプレイ装置の側面図である。
【図６】図４に示すディスプレイ装置の分解斜視図である。
【図７】本発明の第三の実施の形態を示す分解斜視図である。
【図８】図７に示すディスプレイ装置の取り付け途中を示す斜視図である。
【符号の説明】
【００５０】
１      ディスプレイ装置
１１１  ベースアダプター
１１２  ベースアダプター
１２    ブラケット
１３    回転ロール
１４    ディスプレイシート
１５    ディスプレイシート他方部分支持部材
１５３  止具部材
１６１  面ファスナー
１６２  面ファスナー
１７１  面ファスナー
１７２  面ファスナー
１８１  ディスプレイシート他方部分支持部材係止爪
１８２  ディスプレイシート他方部分支持部材係止爪
１９    止具固定部材
２      ディスプレイ装置
２１１  ベースアダプター
２１２  ベースアダプター
２２    ブラケット
２３    回転ロール
２４    ディスプレイシート
２５    ディスプレイシート他方部分支持部材
２６    アジャストシート
２７    アジャストシート
２８１  面ファスナー
２８２  面ファスナー
２９１  面ファスナー
２９２  面ファスナー
３      設置場所壁面
４      ディスプレイ装置
４３    回転ロール
４４    ディスプレイシート
４５    ディスプレイシート他方部分支持部材
４６    アジャストシート
４７    第１の係合レール部材
４７１  スリット
４７２  凹溝
４８    第２の係合レール部材
４８１  凸条
４９    アジャストシート
【図１】
2009053649.tif 000003
【図２】
2009053649.tif 000004
【図３】
2009053649.tif 000005
【図４】
2009053649.tif 000006
【図５】
2009053649.tif 000007
【図６】
2009053649.tif 000008
【図７】
2009053649.tif 000009
【図８】
2009053649.tif 000010